(57)【要約】【課題】  検査画素を有する発光装置における検査画素の好適な配置を提供する。【解決手段】  少なくとも１つの発光素子をそれぞれが含む複数の画素が配された発光装置において、複数の画素は、発光または非発光が選択可能である発光画素と、発光または非発光が選択可能である検査画素と、検査画素の隣に配され、検査画素が発光動作を行うときに非発光動作を行うダミー画素とを有する。【選択図】  図１
2020086245.tif 000002
【特許請求の範囲】
【請求項１】
少なくとも１つの発光素子をそれぞれが含む複数の画素が配され、
前記複数の画素は、発光または非発光が選択可能である発光画素と、発光または非発光が選択可能である検査画素と、前記検査画素の隣に配され、前記検査画素が発光動作を行うときに非発光動作を行うダミー画素とを有することを特徴とする発光装置。
【請求項２】
前記発光素子のそれぞれは、第１電極と、第２電極と、有機材料を含む発光部とを有することを特徴とする請求項１に記載の発光装置。
【請求項３】
前記発光画素の前記発光素子の前記第１電極は、前記発光素子が発光する第１電位と前記発光素子が非発光となる第２電位を含む第１制御信号が供給され、
前記検査画素の前記発光素子の前記第１電極は、前記発光素子が発光する第３電位と前記発光素子が非発光となる第４電位を含む第２制御信号が供給され、
前記ダミー画素の前記発光素子の前記第１電極は、前記発光素子が非発光となる第５電位と電気的に接続される、前記ダミー画素の前記発光素子の前記第２電極と電気的に接続される、あるいはフローティング状態であることを特徴とする請求項２に記載の発光装置。
【請求項４】
前記検査画素の前記第１電極は、前記第２電極とは別の電位供給部のノードに電気的に接続され、
前記ダミー画素の前記第１電極は、前記第２電極と同一のノードに電気的に接続されることを特徴とする請求項３に記載の発光装置。
【請求項５】
前記複数の画素のそれぞれは、第１トランジスタと、前記第１トランジスタを介して輝度信号を供給する回路に電気的に接続されるゲートを有する第２トランジスタと、を有し、
前記検査画素は、前記第２トランジスタと前記第１電極とが電気的に接続し、
前記ダミー画素は、前記第２トランジスタと前記第１電極とが電気的に接続されないことを特徴とする請求項２に記載の発光装置。
【請求項６】
前記発光画素が有するトランジスタの数と、前記検査画素が有するトランジスタの数と、前記ダミー画素が有するトランジスタの数が等しいことを特徴とする請求項５に記載の発光装置。
【請求項７】
前記検査画素は、前記発光画素と前記ダミー画素との間に配されていることを特徴とする請求項１乃至６のいずれか１項に記載の発光装置。
【請求項８】
前記複数の画素のそれぞれは、複数の前記発光素子を有し、
前記複数の発光画素のそれぞれは、互いに異なる色の複数のカラーフィルタを有していることを特徴とする請求項１乃至７のいずれか１項に記載の発光装置。
【請求項９】
複数の前記発光画素は、第１方向と前記第１方向に交わる第２方向とに沿って配されており、
複数の前記検査画素は、少なくとも前記第１方向または前記第２方向に沿って配されており、
複数の前記ダミー画素は、少なくとも前記複数の検査画素に沿って配されていることを特徴とする請求項１乃至８のいずれか１項に記載の発光装置。
【請求項１０】
前記複数の画素は、前記検査画素が発光動作を行う際に非発光動作を行うことが可能な第２ダミー画素を有し、
前記ダミー画素は、前記第２ダミー画素と前記検査画素との間に位置することを特徴とする請求項１乃至９のいずれか１項に記載の発光装置。
【請求項１１】
前記ダミー画素と前記第２ダミー画素の前記発光素子は、第１電極と、第２電極と、発光部とを有し、
前記ダミー画素の前記発光素子の前記第１電極は、前記発光素子が非発光となる第５電位と電気的に接続され、
前記第２ダミー画素の前記発光素子の前記第１電極は、フローティング状態であることを特徴とする請求項１０に記載の発光装置。
【請求項１２】
前記発光装置は、前記発光画素を駆動するための駆動回路を有し、
複数の前記第２ダミー画素が配された第２ダミー画素領域の少なくとも一部と、前記駆動回路の少なくとも一部とが重畳することを特徴とする請求項１０または１１に記載の発光装置。
【請求項１３】
複数の前記発光画素が配された発光画素領域と、複数の前記検査画素が配された検査画素領域のそれぞれには、複数の色のカラーフィルタが配されており、
複数の前記第２ダミー画素が配された第２ダミー画素領域には、単色のカラーフィルタが配されていることを特徴とする請求項１０乃至１２のいずれか１項に記載の発光装置。
【請求項１４】
前記複数の画素は、前記検査画素とは異なるタイミングで非発光動作を行う第２ダミー画素を有し、
複数の前記第２ダミー画素が配された第２ダミー画素領域は、複数の前記発光画素が配された発光画素領域を囲み、
複数の前記ダミー画素が配されたダミー画素領域は、前記第２ダミー画素領域と前記発光画素領域の間に配されていることを特徴とする請求項１乃至９のいずれか１項に記載の発光装置。
【請求項１５】
前記発光画素と前記検査画素との間に、前記検査画素が発光動作を行う際に非発光動作を行うことが可能な第３ダミー画素が配されていることを特徴とする請求項１乃至１４のいずれか１項に記載の発光装置。
【請求項１６】
前記複数の画素は、前記検査画素が発光動作を行う際に非発光動作を行うことが可能な第２ダミー画素および第３ダミー画素を有し、
前記ダミー画素は、前記第２ダミー画素と前記検査画素との間に位置し、
前記第３ダミー画素は、前記発光画素と前記検査画素との間に位置し、
前記ダミー画素と前記第２ダミー画素と前記第３ダミー画素の前記発光素子は、第１電極と、第２電極と、発光部とを有し、
前記ダミー画素と前記第３ダミー画素の前記発光素子の前記第１電極は、前記発光素子が非発光となる第５電位と電気的に接続され、
前記第２ダミー画素の前記発光素子の前記第１電極は、フローティング状態であることを特徴とする請求項１乃至９のいずれか１項に記載の発光装置。
【請求項１７】
複数の画素が配され、
前記複数の画素のそれぞれは、第１電極と第２電極と発光部を含む発光素子と、第１トランジスタと有し、
前記第１電極が前記第１トランジスタに接続された前記発光素子を含む第１画素と、
前記第１電極が前記第２電極とは異なる電位供給部に接続された前記発光素子を含む第２画素と、
前記第２画素の隣にあって、前記第１電極が前記第２電極と同一のノードに接続された前記発光素子を含む第３画素とを有する発光装置。
【請求項１８】
請求項１乃至１７のいずれか１項に記載の発光装置と、
前記発光装置が配された筐体と、を有する表示システム。
【請求項１９】
請求項１乃至１７のいずれか１項に記載の発光装置と、
レンズを有する光学部と、
前記光学部を通過した光を受光する撮像装置と、を有する撮像システムであって、
前記発光装置は、前記撮像装置で取得した情報に基づく画像を表示することを特徴とする撮像システム。
【請求項２０】
請求項１乃至１７のいずれか１項に記載の発光装置と、
筐体と、
外部と通信する通信部と、を有し、
前記発光装置は、前記通信部からの信号に基づく画像を表示することを特徴とする電子機器。
【請求項２１】
請求項１乃至１７のいずれか１項に記載の発光装置と、
移動体を制御する制御装置と、を有し、
前記発光装置は、前記制御装置から伝達された情報を表示することを特徴とする移動体。
【発明の詳細な説明】
【技術分野】
【０００１】
本発明は、発光装置、表示システム、撮像システム、電子機器、および移動体に関する。
【背景技術】
【０００２】
発光装置の検査工程において、検査画素を発光させ、有機ＥＬ素子の発光特性を検査する。そして、検査画素の検査結果に基づき、表示画素へ入力する信号を補正することによって、均一な表示を実現することを可能にしている。特許文献１には、発光素子を有する画素と、複数の画素が配された画素領域の周囲に、ダミー領域が配された領域が開示されている。ダミー領域の中には、検査のための検査画素が含まれている。
【先行技術文献】
【特許文献】
【０００３】
【特許文献１】特開２００５−３１０７０８
【発明の概要】
【発明が解決しようとする課題】
【０００４】
特許文献１では、検査画素の周囲の構造については、詳細に検討がなされていない。そのため、検査画素の結果が表示画素の値と大きく異なる場合が生じうる。そこで、本発明では、検査画素を有する発光装置における好適な検査画素の配置や構造を提供する。
【課題を解決するための手段】
【０００５】
本発明の発光装置の一側面は、少なくとも１つの発光素子をそれぞれが含む複数の画素が配され、前記複数の画素は、発光または非発光が選択可能である発光画素と、発光または非発光が選択可能である検査画素と、前記検査画素の隣に配され、前記検査画素が発光動作を行うときに非発光動作を行うダミー画素とを有することを特徴とする。
【発明の効果】
【０００６】
本発明によって、検査の精度が向上し、高品質な発光装置を提供することが可能となる。
【図面の簡単な説明】
【０００７】
【図１】実施例１に係る発光装置の模式図
【図２】実施例１に係る発光装置の模式図
【図３】（ａ）実施例１に係る発光画素の回路図、（ｂ）実施例１に係る検査画素の回路図、（ｃ）実施例１に係るダミー画素の回路図
【図４】（ａ）実施例２に係る検査画素の回路図、（ｂ）実施例２に係るダミー画素の回路図
【図５】（ａ）実施例３に係る発光装置の模式図、（ｂ）実施例３に係るダミー画素の回路図
【図６】実施例３に係る発光装置の断面模式図
【図７】実施例４に係る発光装置の検査画素の回路図
【図８】実施例４に係る発光装置の断面模式図
【図９】実施例５に係る発光装置の模式図
【図１０】実施例５に係る発光装置の断面模式図
【図１１】（ａ）表示システムの一例を表す模式図、（ｂ）電子機器の一例を表す模式図
【図１２】（ａ）撮像システムの一例を表す模式図、（ｂ）移動体の一例を表す模式図
【発明を実施するための形態】
【０００８】
図面を参照しながら本発明に係る発光装置について説明する。各実施例は、いずれも本発明の一例を示すのであり、数値、形状、材料、構成要素、構成要素の配置および接続などは、本発明を限定するものではない。例えば、各実施例では、発光素子の第１電極に駆動トランジスタが接続され、画素内のトランジスタが全てＰ型トランジスタである場合について説明するが、本発明の発光装置はこれに限定されない。例えば、駆動トランジスタはＰ型トランジスタであり、他のトランジスタはＮ型トランジスタであってもよく、適宜、導電型と極性に合わせて、供給される電位や接続を変更すれば良い。また、トランジスタと容量素子の総数や、トランジスタの導電型の組み合わせに関しては、あくまで一例に過ぎず、本構成に限定されるものではない。
【０００９】
各図面において同じ符号が付されている構成は、同等の構成を指すものとして説明を省略する。また、繰り返しパターンや同一の構成物と理解できるものについては、符号を省略する場合がある。
【００１０】
（実施例１）
本実施例において発光装置１００は、アクティブマトリックス型の有機ＥＬ発光装置であるものとする。発光装置１００は、半導体チップによって構成されている。
【００１１】
図１は、実施例１に係る発光装置１００の概略を示す模式図である。図１は、Ｘ方向と、Ｘ方向と直行するＹ方向を含む面における各構成の配置を示している。この面は、発光装置１００が有する半導体基板の任意の面ともいえる。以下の説明において、面への投影図を平面視とも称し、Ｘ方向を行方向とも称し、Ｙ方向を列方向とも称する。
【００１２】
発光装置１００は、複数の画素領域ＰＡと、駆動回路領域ＤＡとを有する。複数の画素領域ＰＡは、複数の画素が配されている。駆動回路領域ＤＡは、駆動回路が配されている。複数の画素のそれぞれは、少なくとも１つの発光素子を有する。発光素子の構成については、後述する。駆動回路は、垂直駆動回路１０４と水平駆動回路１０５とを含む。駆動回路からの制御信号によって、各画素の動作が制御される。具体的には、垂直駆動回路１０４と水平駆動回路１０５からの信号によって、各画素が有する発光素子の発光、非発光が制御される。
【００１３】
複数の画素領域ＰＡは、発光画素領域１０１と、検査画素領域１０２と、ダミー画素領域１０３とを含む。本実施例において、発光画素領域１０１は複数の発光画素が配され、検査画素領域１０２は複数の検査画素が配され、ダミー画素領域１０３は複数のダミー画素が配される。発光画素は、発光または非発光が選択可能な画素であり、発光あるいは表示に用いられる画素である。検査画素は、発光または非発光が選択可能な画素であり、検査の際に用いられる画素である。ダミー画素は、非発光の画素であり、発光画素と検査画素のために設けられている。また、ダミー画素は、発光画素と異なるタイミングで非発光動作を行おうことができる。
【００１４】
図１における各画素領域の形状について説明する。発光画素領域１０１の外縁１１１は、Ｘ方向に沿った２辺とＹ方向に沿った２辺とからなる矩形である。外縁１１１のＸ方向に沿った２辺は、Ｙ方向に沿った２辺よりも長い。よって、外縁１１１はＸ方向に長い長方形とも言える。すなわち、発光画素領域１０１は長方形である。ここで、発光画素領域１０１は長方形の場合を示しているが、ある方向と、ある方向と交差する別の方向とに沿って配されていてもよい。発光画素領域１０１は、例えば、ひし形やハニカム形状でもありうる。
【００１５】
検査画素領域１０２の外縁１１２も、発光画素領域１０１と同様に、Ｘ方向に沿った２辺とＹ方向に沿った２辺とからなる矩形である。外縁１１２のＸ方向に沿った２辺は、Ｙ方向に沿った２辺よりも短い。よって、外縁１１２はＹ方向に長い長方形とも言える。すなわち、検査画素領域１０２は長方形である。また、検査画素領域１０２は、発光画素領域１０１の少なくとも一辺に沿って設けられている。発光画素領域１０１と検査画素領域１０２は互いに隣接しており、外縁１１１の１辺と外縁１１２の１辺が重なっている。ここで、検査画素領域１０２は、二辺に沿って設けられていてもよく、さらに、発光画素領域１０１の外縁の１つの角を構成する二辺に沿って設けられていてもよい。すなわち、検査画素領域１０２はＬ字型やコの字型や環状であってもよい。
【００１６】
ダミー画素領域１０３の外縁１１３も、発光画素領域１０１と同様に、Ｘ方向に沿った２辺とＹ方向に沿った２辺とからなる矩形である。外縁１１３のＸ方向に沿った２辺は、Ｙ方向に沿った２辺よりも長い。よって、外縁１１３はＸ方向に長い長方形とも言える。ダミー画素領域１０３は、発光画素領域１０１の四方を囲む。また、ダミー画素領域１０３は、発光画素領域１０１と検査画素領域１０２を囲むため、内縁１１４を有する。内縁１１４は、外縁１１１の一部と外縁１１２の一部と重なっている。つまり、ダミー画素領域１０３の形状は環状である。
【００１７】
図１における各画素領域の配置について説明する。検査画素領域１０２は、発光画素領域１０１とダミー画素領域１０３との間に位置する。このような配置によって、検査画素の構造や電気的特性が、発光画素のそれらと同等となる。よって、検査画素にて検出される検査値がより発光画素がとりうる値に近づくため、精度の高い検査結果を得ることができる。その検査結果に基づき、発光画素の信号の調整などを行うことで、より精度の高い、高品位な発光装置を提供することができる。
【００１８】
図１において、ダミー画素領域１０３は、発光画素領域１０１を囲んでいる。このような配置によって、発光画素領域１０１の外縁近くに位置する発光画素の構造や電気的特性が発光画素領域１０１の中央近くに位置する発光画素と同等となる。よって、発光画素領域１０１の位置におけるばらつきを低減することが可能となる。更に、ダミー画素領域１０３は、発光画素領域１０１と検査画素領域１０２を囲んでいる。このような配置によって、検査画素領域１０２の構造の構造や電気的特性が、発光画素のそれらと同等にすることができ、精度の高い検査結果を得ることができる。
【００１９】
図１の構成について、図２および図３を用いて詳細に説明する。図２は、図１の領域２００に相当する部分の模式図である。図２では、画素領域毎に４行２列の画素のみを示している。発光画素領域１０１には、複数の発光画素２０１がＸ方向とＹ方向に沿って２次元に配されている。検査画素領域１０２には、複数の検査画素２０２がＸ方向とＹ方向に沿って２次元に配されている。ダミー画素領域１０３は、複数のダミー画素２０３がＸ方向とＹ方向に沿って２次元に配されている。図２において、発光画素２０１、検査画素２０２、ダミー画素２０３は、互いに等しい間隔で配されている。また、いずれの画素においても、図２ではある画素と隣接する別の画素とは離間して示されているが、実際には、ある画素と隣接する別の画素が接しているものとする。次に、図２に示される信号線について説明する。
【００２０】
信号線２３１は、発光画素２０１と検査画素２０２とダミー画素２０３のそれぞれに電気的に接続している。信号線２３１は、Ｘ方向に沿って延びている。図２において、信号線２３１は、４本示されている。この４本の信号線２３１のそれぞれは、簡略して示されたものであり、実際には複数の信号線を含む。図２において、各信号線２３１は、垂直駆動回路１０４が有する走査回路２２１からの複数の制御信号を伝達する。複数の制御信号とは、発光画素２０１へ発光用の輝度信号を書き込むタイミングを制御する制御信号と、発光させるタイミングを制御する制御信号と、発光素子をリセットするための制御信号とを含む。信号線２３１は、図２において検査画素２０２とダミー画素２０３にも電気的に接続している例を示しているが、検査画素２０２とダミー画素２０３に接続していなくてもよい。
【００２１】
信号線２３２は、発光画素２０１と検査画素２０２とダミー画素２０３のそれぞれに電気的に接続している。信号線２３２は、Ｘ方向に沿って伸びている。信号線２３２は、垂直駆動回路１０４が有する電位供給部２１１からの信号を伝達する。この電位供給部２１１からの信号は、任意の電圧であり、電源電圧Ｖ１とする。電源電圧Ｖ１は、例えば０Ｖ、すなわちグランド電圧ＧＮＤである。
【００２２】
信号線２４１は、発光画素２０１と検査画素２０２のそれぞれに電気的に接続している。信号線２４１は、Ｙ方向に沿って延びている。図２において、信号線２４１は、４本示されており、発光画素２０１と検査画素２０２の各列に対して１本が配されている。信号線２４１は、水平駆動回路１０５が有する走査回路２２２から出力される発光用の輝度信号を伝達する。信号線２４１は、図２において検査画素２０２に対して配されている構成を示しているが、検査画素２０２に設けられていなくてもよい。
【００２３】
信号線２４２は、発光画素２０１のそれぞれに電気的に接続している。信号線２４２は、Ｙ方向に沿って延びている。図２において、信号線２４２は、２本示されており、発光画素２０１の各列に対して１本が配されている。信号線２４２は、水平駆動回路１０５が有する電位供給部２１２からの信号を伝達する。この電位供給部２１２からの信号は、任意の電圧であり、電源電圧Ｖ２とする。電源電圧Ｖ２は、少なくとも１つの値と有していればよいが、本実施例においては１０Ｖ、すなわちハイレベルの電圧を有する。また、電源電圧Ｖ２は、ハイレベルとローレベルの電圧を有してもよい。
【００２４】
信号線２４３は、検査画素２０２のそれぞれに電気的に接続している。信号線２４３は、Ｙ方向に沿って延びている。図２において、信号線２４３は２本示されており、検査画素２０２の各列に対して１本が配されている。信号線２４３は、水平駆動回路１０５が有する電位供給部２１３からの信号を伝達する。この電位供給部２１３からの信号は、任意の電圧であり、電源電圧Ｖ３とする。電源電圧Ｖ３は、検査画素２０２の発光素子を発光させる場合にはハイレベルとローレベルを有する。検査を行わない場合には、発光素子が発光する発光閾値よりも低いローレベルの電圧を有する。ローレベルの電圧とは、例えば０Ｖ、グランド電圧ＧＮＤである。例えば、電源電圧Ｖ３のローレベルは、電源電圧Ｖ１と等しいか、電源電圧Ｖ１よりも大きくてもよく、発光閾値よりも低ければよい。すなわち、発光閾値＞電源電圧Ｖ３のローレベル≧電源電圧Ｖ１であってもよい。
【００２５】
なお、ダミー画素領域１０３には、Ｙ方向に沿って伸びる信号線が配されておらず、ダミー画素２０３には、水平駆動回路１０５からの信号が伝達されていない。
【００２６】
図２に示すように、検査画素２０２は、発光画素２０１とダミー画素２０３との間に位置する。つまり、Ｘ方向に沿って、発光画素２０１、検査画素２０２、ダミー画素２０３の順に並んで配されている。よって、検査画素２０２における各構造の製造時の誤差や配線などの電気的影響が発光画素２０１とほぼ等しい状態にすることができる。従って、精度の高い検査情報を得ることができ、より高品位な発光装置を得ることができる。
【００２７】
更に、発光画素２０１と検査画素２０２の間に、ダミー画素２０３が配されていても良い。
【００２８】
図１および図２に示すように、本実施例においては、発光画素領域１０１の発光画素２０１の行数と、検査画素領域１０２の検査画素２０２の行数が等しい。このような構成によって、発光素子の輝度の検査において、Ｙ方向での情報が得られるため、より精度の高い検査情報を得ることができる。
【００２９】
また、ダミー画素領域１０３のダミー画素２０３の行数は検査画素２０２の行数より多くなっている。このような構成によって、検査画素２０２の隣接する画素の状態が発光画素２０１とほぼ等しくなるため、精度の高い検査情報を得ることができる。
【００３０】
次に、図３を用いて、発光画素２０１、検査画素２０２、ダミー画素２０３の回路を説明する。図３（ａ）は、発光画素２０１の回路を示している。発光画素２０１は、少なくとも１つの発光素子３０１を有する。発光画素２０１は、駆動トランジスタ３０２、書き込みトランジスタ３０３、発光制御トランジスタ３０４、リセットトランジスタ３０５、第１容量素子３０６、および第２容量素子３０７を有する。本実施例において、発光画素２０１が有する４つのトランジスタはＰ型である。ここで、単位セルＵＣ２０１は、発光素子３０１、駆動トランジスタ３０２、書き込みトランジスタ３０３、発光制御トランジスタ３０４、リセットトランジスタ３０５、第１容量素子３０６、および第２容量素子３０７を含む。そして、発光画素２０１は、少なくとも１つの単位セルＵＣ２０１を含むともいえる。なお、書き込みトランジスタ３０３は選択トランジスタともいえる。
【００３１】
発光素子３０１は、第１電極と、第２電極と、両電極間に位置する発光部を有する。本実施例では、第１電極が陽極であり、第２電極が陰極であり、発光部は、少なくとも有機材料からなる発光層を有する。発光部は、正孔注入層、正孔輸送層、電子注入層、電子輸送層の１つまたは複数を適宜有していてもよい。発光素子３０１の第１電極は、駆動トランジスタ３０２のソースおよびドレインの一方に電気的に接続されている。発光素子３０１の第２電極は、信号線２３２と電気的に接続し、すなわち電源電圧Ｖ１に電気的に接続されている。
【００３２】
駆動トランジスタ３０２のソースおよびドレインの一方は、発光素子３０１の第１電極に電気的に接続し、駆動トランジスタ３０２のソースおよびドレインの他方は、発光制御トランジスタ３０４のソースおよびドレインの一方と電気的に接続する。駆動トランジスタ３０２のゲートは、書き込みトランジスタ３０３のソースおよびドレインの一方と、第１容量素子３０６の一端子と、電気的に接続する。書き込みトランジスタ３０３のソースおよびドレインの一方は、駆動トランジスタ３０２のゲートに電気的に接続され、書き込みトランジスタ３０３のソースおよびドレインの他方は、信号線２４１に電気的に接続される。書き込みトランジスタ３０３のゲートは、信号線２３１の１つである２３１Ａに電気的に接続されている。発光制御トランジスタ３０４のソースおよびドレインの一方は、駆動トランジスタ３０２のソースおよびドレインの他方に電気的に接続される。また、発光制御トランジスタ３０４のソースおよびドレインの一方は、第１容量素子３０６の他端子と電気的に接続され、第２容量素子３０７の一端子と接続される。発光制御トランジスタ３０４のソースドレインの他方は、信号線２４２に電気的に接続され、第２容量素子３０７の他端子と電気的に接続される。すなわち、発光制御トランジスタ３０４のソースおよびドレインの他方には、電源電圧Ｖ２と電気的に接続される。発光制御トランジスタ３０４のゲートは、信号線２３１の１つである２３１Ｂに電気的に接続されている。リセットトランジスタ３０５のソースおよびドレインの一方は、駆動トランジスタ３０２のソースおよびドレインの一方に電気的に接続される。リセットトランジスタ３０５のソースおよびドレインの他方は、信号線２３２に電気的に接続される。つまり、リセットトランジスタ３０５のソースおよびドレインの他方は、電源電圧Ｖ３に電気的に接続されている。リセットトランジスタ３０５のゲートは、信号線２３１の１つである２３１Ｃに電気的に接続される。ここで、いずれのトランジスタにおいても、バックゲートは、電源電圧Ｖ２に電気的に接続されている。
【００３３】
第１容量素子３０６は、駆動トランジスタ３０２のゲートと、駆動トランジスタ３０２のソースおよびドレインの他方、ここではソースとの間に接続されている。第２容量素子３０７は、駆動トランジスタ３０２のソースおよびドレインの他方、ここではソースと信号線２４２との間に接続されている。
【００３４】
駆動トランジスタ３０２は、電源電圧Ｖ２から発光制御トランジスタ３０４を介して発光素子３０１に電流を供給し、発光させる。より具体的には、駆動トランジスタ３０２は、第１容量素子３０６に保持された輝度信号の信号電圧に応じた電流を発光素子３０１に供給する。発光素子３０１に電流が供給されることで、発光素子３０１が発光する。
【００３５】
書き込みトランジスタ３０２は、そのゲートに垂直駆動回路１０４から信号線２３１Ａによって制御信号が供給され、信号線２４１と第１容量素子３０６の一端子との間の電気的接続を制御する。これにより、書き込みトランジスタ３０３は、水平駆動回路１０５から信号線２４１を介して供給される輝度情報に応じた映像信号の信号電圧または基準電圧を保持、すなわち書き込む動作を行うことができる。この書き込まれた信号電圧または基準電圧は、駆動トランジスタ３０２のゲートに印加されるとともに第１容量素子３０６に保持、書き込まれる。信号線２４１は、輝度情報に応じた信号を供給するため、データ線とも称される。
【００３６】
発光制御トランジスタ３０４は、そのゲートに垂直駆動回路１０４から信号線２３１Ｂによって制御信号が供給され、信号線２４２と駆動トランジスタのソースおよびドレインの他端子との間の電気的接続を制御する。すなわち、発光制御トランジスタ３０４は、電源電圧Ｖ２から駆動トランジスタ３０２へ電流を供給することを制御することができる。これにより、上述したように、駆動トランジスタ３０２による発光素子３０１の発光が可能になる。すなわち、発光制御トランジスタ３０４は、発光素子３０１の発光／非発光を制御するスイッチとしての機能を持っている。
【００３７】
リセットトランジスタ３０５は、そのゲートに垂直駆動回路１０４から信号線２３１Ｃによって制御信号が供給され、信号線２３２と駆動トランジスタのソースおよびドレインの一端子との間の電気的接続を制御する。リセットトランジスタ３０５は、非発光期間において、発光素子３０１の第１電極と電源電圧Ｖ３とを電気的に接続し、発光素子３０１を非発光状態とすることができる。これにより、高コントラストな発光装置を実現することができる。
【００３８】
このような回路において、発光制御トランジスタ３０４の動作により、発光素子３０１が非発光状態となる期間（非発光期間）を設けることができ、発光期間と非発光期間との割合を制御する、いわゆるデューティ制御を行うことができる。このデューティ制御により、１フレーム期間に亘って発光画素２０１が発光することに伴う残像ボケを低減でき、特に動画の画質をより優れたものとすることができる。
【００３９】
ここで、発光素子３０１である有機ＥＬ（Ｏｒｇａｎｉｃ  Ｅｌｅｃｔｒｏｌｕｍｉｎｅｓｃｅｎｔ）素子の発光時には、駆動トランジスタ３０２に流れる電流量を輝度に応じて変化させることで、発光素子３０１が所定の輝度で発光することができる。例えば、発光素子３０１の第１電極と第２電極の間に容量を有する構成の場合には、任意の期間で該電流によって容量を充電することで所定の電位が保持される。その後、保持された電位に応じた電流を発光素子３０１に供給することで、発光素子３０１が所定の輝度で発光する。
【００４０】
図３（ｂ）は、検査画素２０２の回路を示している。検査画素２０２は、少なくとも１つの発光素子３０１を有する。ここで、単位セルＵＣ２０２は発光素子３０１を含み、検査画素２０２は少なくとも１つの単位セルＵＣ２０２を含むともいえる。検査画素２０２の発光素子３０１は、発光画素２０１の発光素子３０１と同等の構成を有する。発光素子３０１は、第１電極と、第２電極と、両電極間に位置する発光部を有する。本実施例では、第１電極が陽極であり、第２電極が陰極であり、発光部は、少なくとも有機材料からなる発光層を有する。発光部は、正孔注入層、正孔輸送層、電子注入層、電子輸送層の１つまたは複数を適宜有していてもよい。発光素子３０１の第１電極は、信号線２４３に電気的に接続されている。すなわち、第１電極は電源電圧Ｖ３に電気的に接続されている。発光素子３０１の第２電極は、信号線２３２、すなわち電源電圧Ｖ１に電気的に接続されている。検査画素２０２においては、電源電圧Ｖ３の電圧を変化させることによって、検査画素の２０２の発光素子３０１の発光、非発光を制御し、発光素子３０１の特性を検査することができる。
【００４１】
図３（ｃ）は、ダミー画素２０３の回路を示している。ダミー画素２０３は少なくとも１つの発光素子３０１を有する。ここで、単位セルＵＣ２０３は発光素子３０１を含み、ダミー画素２０３は少なくとも１つの単位セルＵＣ２０３を含むともいえる。ダミー画素２０３の発光素子３０１は、発光画素２０１の発光素子３０１と同等の構成を有する。発光素子３０１は、第１電極と、第２電極と、両電極間に位置する発光部を有する。本実施例では、第１電極が陽極であり、第２電極が陰極であり、発光部は、少なくとも有機材料からなる発光層を有する。発光部は、正孔注入層、正孔輸送層、電子注入層、電子輸送層の１つまたは複数を適宜有していてもよい。発光素子３０１の第１電極は、信号線２３２、すなわち電源電圧Ｖ１に電気的に接続されている。発光素子３０１の第２電極は、信号線２３２、すなわち電源電圧Ｖ１に電気的に接続されている。つまり、発光素子３０１の第１電極と第２電極とが同一ノードに電気的に接続されている。よって、ダミー画素２０３の発光素子３０１は発光しない。ここで、発光素子３０１の第１電極は、発光素子３０１の発光閾値を越えないような他の電源電圧に接続されていても良く、必ずしも第２電極に接続されていなくても良い。第１電極が固定されていることで、ダミー画素２０３が発光してしまう誤動作を低減できる。また、発光閾値を越えない限りは、フローティング状態であっても良く、この場合には第１電極への接続のための配線などが削減できるため、設計自由度が向上する。
【００４２】
ここで、ダミー画素２０３は、発光画素２０１と同等の構成の発光素子３０１が形成されている。また、検査画素２０２はダミー画素２０３と発光画素２０１との間に位置する。よって、第１電極材料のパターニングや発光部の形成などにおける外縁が発光画素２０１や検査画素２０２に含まれることがない。このような構成によって、検査画素２０２を発光画素２０１と同様の条件で形成することが可能となるため、検査時の精度を向上させることが可能となる。
【００４３】
以上述べてきたように、本実施例の発光装置によれば、検査時の精度が向上するため、高品位な発光装置を提供することが可能となる。
【００４４】
なお、電位供給部２１３は、水平駆動回路１０５から離れて、発光装置の外縁の近く、すなわちチップ外縁の近くに設けられていてもよい。更に、電位供給部２１３には外部装置との電気的接続のためのパッドを有していてもよい。このような構成によって、検査の際に、検査装置のプローブを電位供給部２１３に接続することができ、簡易に検査を行うことが可能である。
【００４５】
（実施例２）
本実施例について、図４（ａ）および図４（ｂ）を用いて説明する。図４（ａ）は本実施例の検査画素２０２の回路図であり、図４（ｂ）は本実施例のダミー画素２０３の回路図である。本実施例は、実施例１の図３（ｂ）および図３（ｃ）に示した回路と比較して、検査画素２０２およびダミー画素２０３は、発光素子に加えて少なくとも複数のトランジスタを有する点が異なる。以下、実施例１と異なる構成を中心に説明する。
【００４６】
図４（ａ）に示す検査画素２０２は、図３（ａ）に示す発光画素２０１と同様に、駆動トランジスタ３０２、書き込みトランジスタ３０３、発光制御トランジスタ３０４、およびリセットトランジスタ３０５を有する。更に、検査画素２０２は、第１容量素子３０６と、第２容量素子３０７とを有する。つまり、本実施例の検査画素２０２は発光画素２０１と同一の素子を有する。そして、検査画素２０２では、図３（ａ）に示す発光画素２０１と異なり、駆動トランジスタ３０２とリセットトランジスタ３０５が発光素子３０１と電気的に接続していない。検査画素２０２の発光素子３０１は、図３（ｂ）に示した状態となっている。このような構成を有することで、検査画素２０２と発光画素２０１との製造誤差による構造ばらつきや配線などによる電気的影響の違いが小さくなり、検査の精度を向上させることができる。本実施例の単位セルＵＣ２０２は、発光素子３０１、駆動トランジスタ３０２、書き込みトランジスタ３０３、発光制御トランジスタ３０４、リセットトランジスタ３０５、第１容量素子３０６、および第２容量素子３０７を含む。そして、検査画素２０２は、少なくとも１つの単位セルＵＣ２０２を含むともいえる。
【００４７】
図４（ｂ）に示すダミー画素２０３は、図３（ａ）に示す発光画素２０１と同様に、駆動トランジスタ３０２、書き込みトランジスタ３０３、発光制御トランジスタ３０４、およびリセットトランジスタ３０５を有する。更に、ダミー画素２０３は、第１容量素子３０６と、第２容量素子３０７とを有する。つまり、本実施例のダミー画素２０３は発光画素２０１と同一の素子を有する。そして、ダミー画素２０３では、図３（ａ）に示す発光画素２０１と異なり、駆動トランジスタ３０２とリセットトランジスタ３０５が発光素子３０１と電気的に接続していない。ダミー画素２０３の発光素子３０１は、図３（ｃ）に示した状態となっている。このような構成を有することで、検査画素２０２と発光画素２０１の製造誤差による構造ばらつきや配線などによる電気的影響の違いをより低減すること可能となる。よって、検査の精度を向上させることができる。本実施例の単位セルＵＣ２０３は、発光素子３０１、駆動トランジスタ３０２、書き込みトランジスタ３０３、発光制御トランジスタ３０４、リセットトランジスタ３０５、第１容量素子３０６、および第２容量素子３０７を含む。そして、ダミー画素２０３は、少なくとも１つの単位セルＵＣ２０３を含むともいえる。
【００４８】
このような構成によって、発光画素２０１と検査画素２０２との間の画素の構造や、製造誤差によるばらつきや、周りの画素の配置に起因する電気的特性の差を低減することが可能となる。よって、高品位な発光装置が実現できる。
【００４９】
なお、本実施例において、検査画素２０２とダミー画素２０３の各トランジスタは、発光画素２０１と同様に駆動してもよく、駆動しなくてもよい。これらの動作については、適宜、変更可能である。
【００５０】
（実施例３）
本実施例の発光装置について、図５と図６を用いて説明する。図５（ａ）は、本実施例の発光装置５００の模式図である。図５（ａ）は、図１と対応した図面である。図５（ａ）における図１との差異は、発光装置５００がダミー画素領域１０３に加えてダミー画素領域５０１を有する点である。ダミー画素領域５０１は、ダミー画素領域１０３を囲んで設けられている。ダミー画素領域５０１の形状は、外縁５１１と内縁５１２を有する環状である。そして、発光画素領域１０１から発光装置５００の外縁に向かう方向において、ダミー画素領域１０３は発光画素領域１０１とダミー画素領域５０１との間に位置する。ダミー画素領域１０３があることによって、発光画素領域１０１の各画素の形状が位置によらず均一に形成することが可能となる。更に、ダミー画素領域５０１を有することで、発光画素領域１０１や検査画素領域１０２の周りに配された駆動回路などへの迷光を低減することができ、駆動回路の誤作動を低減することができる。
【００５１】
更に、図５（ａ）において、ダミー画素領域５０１の少なくとも一部は、垂直駆動回路１０４や水平駆動回路１０５の少なくとも一部と重畳している。この構成について、詳細に説明する。
【００５２】
まず、ダミー画素領域５０１に配されたダミー画素の回路を説明する。図５（ｂ）は、図５（ａ）のダミー画素領域５０１に配されたダミー画素５０２の回路を示している。ダミー画素５０２は、少なくとも発光素子３０１を有する。発光素子３０１の第２電極は信号線２３２、すなわち電源電圧Ｖ１に電気的に接続されている。一方、第１電極は電気的に浮遊（フローティング）の状態となっている。このような構成を有することで、第１電極に接続する配線などの構造を設ける必要がないため、レイアウトの自由度が高い。ダミー画素５０２の断面構造について、次に説明する。
【００５３】
図６は、本実施例の発光装置５００の断面模式図である。図６は、図５（ａ）のＡＢ線に沿った部分を適宜抽出して示したものである。図６において、点Ａから点Ｂへ向かって、発光画素領域１０１と、検査画素領域１０２と、ダミー画素領域１０３と、ダミー画素領域５０１とがこの順に並んで示されている。ダミー画素領域５０１の一部には、水平駆動回路１０５が配されている。図６において、発光画素領域１０１と、検査画素領域１０２と、ダミー画素領域１０３では、各領域に配された１つの発光画素２０１と検査画素２０２とダミー画素２０３の発光素子３０１と駆動トランジスタの断面が示されている。ダミー画素領域５０１では、２つのダミー画素５０２の発光素子３０１が示されている。更に、２つのダミー画素５０２のうち、水平駆動回路１０５が重畳する画素では、水平駆動回路１０５が有する１つのトランジスタの断面が示されている。つまり、ダミー画素領域５０１の発光素子３０１が、水平駆動回路１０５に重なる。このような構成によって、発光素子３０１によって、水平駆動回路１０５などに外光が入射することを低減することができる。従って、外光が入射することで生じる光電流によって、水平駆動回路１０５や垂直駆動回路１０４が誤作動することを低減することができる。
【００５４】
図６において、各画素２０１、２０２、２０３、５０２は、同一の発光素子３０１の構造を有する。発光素子３０１は、第１電極１００１と、第２電極１００２と、発光部１００３とを有する。更に、発光素子３０１は、第１電極１００１の端部を覆うバンク部１００４が設けられている。バンク部１００４は、第１電極１００１と第２電極１００２の間を流れる電流が、隣接する画素の第１電極１００１や第２電極１００２へ漏れることを低減する機能を有する。バンク部１００４は、第１電極１００１の外縁を覆うように設けられている。ここで、第１電極１００１の下面を含む面を面Ｐ３とする。
【００５５】
図６において、基板６００は、面Ｐ１と、面Ｐ１と反対側の面Ｐ２とを有する。平面視における面とは、面Ｐ２とすることができる。基板６００は、Ｐ型の半導体領域６０１と、Ｎ型の半導体領域６０２と、Ｐ型の半導体領域６０１と、複数の素子分離部６０４とを有する。発光画素２０１と検査画素２０２とダミー画素２０３における基板６００には、駆動トランジスタのゲート６０５と、ソースおよびドレイン６０６が示されている。ソースおよびドレイン６０６は、Ｐ型の半導体領域である。ダミー画素２０３の隣に示されたダミー画素５０２における基板６００には、素子分離部６０４が設けられている。水平駆動回路１０５と重畳するダミー画素５０２における基板６００には、ゲート６０７とソースおよびドレイン６０８を有するＮ型のトランジスタが示されている。ソースおよびドレイン６０８はＮ型の半導体領域である。
【００５６】
各画素の発光素子３０１と基板６００との間には、配線構造体６２０が設けられている。配線構造体６２０は、面Ｐ２と面Ｐ３との間に位置する。配線構造体６２０は、少なくとも１つの絶縁層と、少なくとも１つの配線層とを含む。絶縁層は多層膜で構成されていてもよい。配線構造体６２０は、例えば、４つの配線層６１１、６１２、６１３、６１４を有する。各配線層は複数の配線を有し、基板と配線層の間と、各配線層の間と、配線層と第１電極１００１の間にはプラグ６２１〜６２５が設けられている。なお、発光素子３０１よりもＺ方向に上にはカラーフィルタやガラス基板など任意の構成が設けられているが省略している。
【００５７】
発光画素２０１において、発光画素２０１の駆動トランジスタのソースおよびドレイン６０６は、プラグ６２１〜６２５と配線層６１１〜６１４の配線によって、発光画素２０１の第１電極１００１と電気的に接続されている。検査画素２０２においては、発光画素２０１のプラグ６２４に相当するプラグが設けられていないため、検査画素２０２の駆動トランジスタのソースおよびドレイン６０６と、検査画素２０２の第１電極１００１とが電気的に接続していない。検査画素２０２の第１電極１００１は配線層６１４の配線によって、電源電圧Ｖ３と電気的に接続している。ダミー画素２０３においては、発光画素２０１のプラグ６２４に相当するプラグが設けられていないため、ダミー画素２０３の駆動トランジスタのソースおよびドレイン６０６と、ダミー画素２０３の第１電極１００１とが電気的に接続していない。ダミー画素２０３の第１電極１００１は配線層６１４の配線によって、電源電圧Ｖ２と電気的に接続している。ダミー画素５０２においては、発光画素２０１の駆動トランジスタに対応するトランジスタや、配線層６１１〜６１４に相当する配線や、プラグ６２１〜６２５に相当するプラグが設けられていない。ダミー画素５０２の第１電極１００１はフローティングの状態となっている。
【００５８】
ダミー画素５０２の構成によって、ダミー画素５０２の発光素子３０１の下、面Ｐ３と面Ｐ１との間に水平駆動回路１０５などの回路を設けることが可能である。発光素子３０１が配されていることによって、特に、外光が第１電極１００１によって反射するため、外光が基板６００に入射することを低減することができる。ここで、外光とは発光装置外部から入射する光のことであり、発光画素２０１にて発された光が外部で反射して入射する光も含む。
【００５９】
ダミー画素２０３において、その動作においては、配線層６１１〜６１３と、プラグ６２１〜６２３は設ける必要がない部分である。しかし、ダミー画素２０３にこれらを設けることによって、これらの製造時のばらつきを低減することができ検査画素２０２の構造を発光画素２０１の構造に近づけることができる。また、電気的な特性においても、検査画素２０２の構造を発光画素２０１の構造に近づけることができる。
【００６０】
図６において、素子分離部６０４は、ＳＴＩ（Ｓｈａｌｌｏｗ  Ｔｒｅｎｃｈ  Ｉｓｏｌａｔｉｏｎ）分離、ＬＯＣＯＳ（Ｌｏｃａｌ  Ｏｘｉｄａｔｉｏｎ  Ｏｆ  Ｓｉｌｉｃｏｎ）分離、Ｎ型の半導体領域によるポテンシャル分離のいずれでも良い。発光素子３０１のバンク部１００４の材料は、例えば、酸化シリコンや窒化シリコンなど酸素や窒素を含む材料など、絶縁体材料である。また、第１電極１００１や配線層６１１〜６１４の材料は、アルミニウムを主成分とする合金や、銅を主成分とする合金などの導電体から適宜選択できる。配線構造体６２０の絶縁層６３０の材料は、例えば、酸化シリコンや窒化シリコンなど酸素や窒素を含む材料など、絶縁体材料である。配線構造体６２０のプラグ６２１〜６２５の材料は、タングステンやチタンなどの導電体から適宜選択できる。
【００６１】
（実施例４）
本実施例の発光装置について、図７および図８を用いて説明する。本実施例では、Ｒｅｄ（赤）、Ｇｒｅｅｎ（緑）、およびＢｌｕｅ（青）のカラーフィルタを設けた構成を説明する。図７は、本実施例にかかる検査画素１１００を示す回路図である。検査画素１１００は、少なくとも３つの発光素子３０１を有する。つまり、検査画素１１００は、ＵＣ１１０１、ＵＣ１１０２、ＵＣ１１０３を有する。単位セルＵＣ１１０１は緑、単位セルＵＣ１１０２は赤、単位セルＵＣ１１０３は青と対応する回路である。単位セルＵＣ１１０１、１１０２、１１０３のそれぞれは、基本的には図４（ａ）に示す単位セルＵＣ２０２と等しい回路を有する。しかし、図７の回路は、図４（ａ）の回路とは、各単位セルの発光素子３０１の第１電極が異なる信号線に電気的に接続する点で異なる。単位セルＵＣ１１０１の第１電極は信号線２４３Ａと電気的に接続し、単位セルＵＣ１１０２の第１電極は信号線２４３Ｂと電気的に接続し、単位セルＵＣ１１０３の第１電極は信号線２４３Ｃと電気的に接続する。このような構成によって、検査工程において、各信号線２４３Ａ〜２４３Ｃが伝達する電圧を異ならせることができるため、各色の発光特性を独立に検査することが可能となる。
【００６２】
なお、発光画素２０１やダミー画素２０３も同様に複数の発光素子を有しうる。例えば、発光画素２０１は、図３（ａ）に示した単位セルＵＣ２０１を複数含み、ダミー画素２０３は図４（ｂ）に示した単位セルＵＣ２０３を複数含む。
【００６３】
図８は、図７に対応した検査画素２０２、すなわち単位セルＵＣ１１０１〜１１０３の断面模式図である。図８は、各単位セルＵＣ１１０１〜１１０３の駆動トランジスタの断面を示している。図８において、発光素子３０１までの構成は図６の検査画素２０２の断面と等しい構成を有している。但し、上述したように単位セルＵＣ１１０１〜１１０３の配線層６１４の配線のそれぞれは、対応する信号線２４３Ａ〜２４３Ｃのそれぞれに電気的に接続している。
【００６４】
また、発光素子３０１の発光素子３０１の第２電極１００２の第１電極側ではない面を面Ｐ４とすると、面Ｐ４からＺ方向に、絶縁膜１２００と、カラーフィルタ１２０１〜１２０３と、絶縁膜１２０４と、ガラス基板１２０５とがこの順に配されている。絶縁膜１２００は、例えば、感光性の有機材料からなり、平坦化の機能を有する。絶縁膜１２００の材料は、無機材料であってもよく、無機材料からなる層と有機材料からなる層の多層からなってもよい。また、絶縁膜１２００は、平坦化の機能だけでなく、防湿や保護の機能を有していてもよい。カラーフィルタ１２０１〜１２０３は、複数の色のフィルタを有し、本実施例では、緑のカラーフィルタ１２０１と、赤のカラーフィルタ１２０２と、青のカラーフィルタ１２０３とを有する。カラーフィルタ１２０１〜１２０３は、平面視したときに、発光素子３０１の形状と対応した、例えば相似の形状を有していることが好ましい。カラーフィルタ１２０１〜１２０３の膜厚は、互いに異なり、本実施例では赤のカラーフィルタ１２０２が最も厚くなっている。絶縁膜１２０４は、例えば、感光性の有機材料からなり、平坦化の機能を有する。絶縁膜１２０４の材料は、無機材料であってもよく、無機材料からなる層と有機材料からなる層の多層からなってもよい。また、絶縁膜１２０４は、平坦化の機能だけでなく、防湿や保護や接着の機能を有していてもよい。本実施例では、厚みが異なるカラーフィルタ１２０１〜１２０３の絶縁膜１２００と反対側の面を平坦化している。ガラス基板１２０５は絶縁膜１２０４と接着しており、発光装置の最外面となっている。なお、モノクロの発光装置の場合には、カラーフィルタ１２０１〜１２０３などを設けない構成とすればよい。
【００６５】
（実施例５）
本実施例の発光装置について、図９と図１０を用いて説明する。本実施例は、外光減衰領域を有する。以下、実施例３と異なる構成を中心に説明する。
【００６６】
図９は、本実施例の発光装置９００の模式図である。図９は、図５（ａ）と対応した図面である。図９における図５（ａ）との差異は、発光装置９００が更に別の検査画素領域１０２を有する点と、外光減衰領域９０１と有する点である。Ｘ方向において、別の検査画素領域１０２と、発光画素領域１０１と、検査画素領域１０２とがこの順に配されている。検査画素領域１０２は、このように任意の位置に配置可能であり、Ｘ軸に沿って配置することもできる。
【００６７】
外光減衰領域９０１は、ダミー画素領域５０１を囲むように配されている。外光減衰領域９０１は、内縁９０２と外縁９０３とを有する枠状の形状を有する。外光減衰領域９０１は、ダミー画素領域５０１の一部、または全部と重畳している。外光減衰領域９０１は、垂直駆動回路１０４や水平駆動回路１０５の一部、または全部と重畳している。
【００６８】
図１０は、図９のＣＤ線の断面模式図である。図１０は図６と類似した断面模式図である。図１０は、ダミー画素領域５０１に配された水平駆動回路１０５のＮ型のトランジスタが垂直駆動回路１０４のＮ型トランジスタである点と、外光減衰領域９０１まで示されている点と、カラーフィルタ１２０１〜１２０３が記載されている点で図６と異なる。図１０の発光画素２０１、検査画素２０２、ダミー画素２０３の面Ｐ１から面Ｐ４までの構造は、図６のそれらと等しいため説明を省略する。等しいため説明を省略する。
【００６９】
図１０において、発光画素領域１０１と、検査画素領域１０２と、ダミー画素領域１０３には、３色のカラーフィルタが配されている。図１０では、発光画素２０１は緑のカラーフィルタ１２０１が配され、検査画素２０２は赤のカラーフィルタ１２０２が配され、ダミー画素２０３は青のカラーフィルタ１２０３が配されている。図１０では、各画素領域には１色のカラーフィルタのみが示されているが、発光画素領域１０１と検査画素領域１０２の画素には、それぞれ赤、緑、青のカラーフィルタが配されている。ダミー画素領域１０３においても、同様に赤、緑、青のカラーフィルタが配されている。ダミー画素領域１０３に同様にカラーフィルを配することで、検査画素領域１０２のカラーフィルタのパターンが発光画素領域１０１と同等の条件で形成される。従って、検査の精度が向上する。
【００７０】
そして、ダミー画素５０２には緑のカラーフィルタ１２０１が配され、垂直駆動回路１０４が重畳したダミー画素５０２には赤のカラーフィルタ１２０２が配されている。ダミー画素領域５０１には、カラーフィルタが配されていなくてもよいが、少なくとも１色のカラーフィルタが配することで、迷光を低減することができる。本実施例では、ダミー画素領域５０１には赤、緑、青のカラーフィルタが配されている。
【００７１】
外光減衰領域９０１では、発光素子３０１の第１電極１００１が配されていない。そして、外光減衰領域９０１には、単色、例えば、青のカラーフィルタ１２０３が配されている。このような構成によって、外光を減衰し、第１電極１００１が無くても、光電流を抑制することが可能となる。また、外光減衰領域９０１が有するカラーフィルタ１２０３は、他の色であっても良い。
【００７２】
（実施例６）
本実施例では、実施例１〜５にて説明してきた発光装置の用途について説明する。本実施例の発光装置は、表示装置としてはもちろん、照明装置や液晶表示装置の光源や、撮像システムや電子機器や移動体などの表示部として用いることができる。移動体とは、自動車、船舶、航空機、ドローン等であってよい。また、本実施例の発光装置は、エリアＣＣＤ、リニアＣＣＤ、メモリーカード等からの画像情報を入力する画像入力部を有し、入力された情報を処理する情報処理部を有し、入力された画像を表示部に表示する画像情報処理装置でもよい。また、表示部は、発光装置とともにタッチパネル機能を有していてもよい。このタッチパネル機能の駆動方式は、赤外線方式でも、静電容量方式でも、抵抗膜方式であっても、電磁誘導方式であってもよく、特に限定されない。
【００７３】
図１１（ａ）は、本実施例に係る表示システムの一例を表す模式図である。表示システム２０００は、上部カバー２００１と、下部カバー２００９と、の間に、タッチパネル２００３、表示パネル２００５、フレーム２００６、回路基板２００７、バッテリー２００８、を有してよい。本実施例の発光装置は表示パネル２００５に相当する。タッチパネル２００３および表示パネル２００５は、フレキシブルプリント回路ＦＰＣ２００２、２００４が接続されている。回路基板２００７は、プリント基板であり、トランジスタがプリントされている。バッテリー２００８は、表示システムが携帯機器でなければ、設けなくてよいし、携帯機器であっても、この位置に設ける必要はない。
【００７４】
本実施例に係る発光装置は、電子機器の表示部に用いられてもよい。その際には、表示機能と操作機能との双方を有してもよい。電子機器としては、スマートフォン等の携帯電話、タブレット、ヘッドマウントディスプレイ等が挙げられる。図１１（ｂ）は、本実施例に係る電子機器の一例を表す模式図である。電子機器２１００は、表示部２１０１と、操作部２１０２と、筐体２１０３を有する。本実施例の発光装置は表示部２１０１として適用できる。筐体２１０３には、回路、当該回路を有するプリント基板、バッテリー、通信部、を有してよい。操作部２１０２は、ボタンであってもよいし、タッチパネル方式の反応部であってもよい。操作部は、指紋を認識してロックの解除等を行う、生体認識部であってもよい。通信部を有する電子機器は通信機器ということもできる。携帯電話等であれば、携帯機器ということもできる。
【００７５】
発光装置は、複数のレンズを有する光学部と、当該光学部を通過した光を受光する撮像装置とを有する撮像システムの表示部に用いられてよい。撮像システムは、撮像装置が取得した情報を表示する表示部を有してよい。また、表示部は、撮像システムの外部に露出した表示部であっても、ファインダ内に配置された表示部であってもよい。撮像システムは、デジタルカメラ、デジタルビデオカメラであってよい。図１２（ａ）を用いて説明する。
【００７６】
図１２（ａ）は、撮像システムの一例を表す模式図である。撮像システム２２００は、ビューファインダー２２０１、背面ディスプレイ２２０２、筐体２２０３、操作部２２０４を有してよい。ビューファインダー２２０１は、本実施例の表示装置が適用可能である。その場合、発光装置は、撮像する画像のみならず、環境情報、撮像指示等を表示してよい。環境情報には、外光の強度、外光の向き、被写体の動く速度、被写体が遮蔽物に遮蔽される可能性等であってよい。撮像システム２２００は、不図示の光学部を有する。光学部は複数のレンズを有し、筐体２２０３内に収容されている撮像素子に結像する。複数のレンズは、その相対位置を調整することで、焦点を調整することができる。この操作を自動で行うこともできる。
【００７７】
図１２（ｂ）は、本実施例に係る移動体の一例を表す模式図である。移動体としては自動車を例とする。当該自動車は灯具の一例であるテールランプを有する。自動車２３００は、テールランプ２３０１を有し、ブレーキ操作等を行った際に、テールランプを点灯する形態であってよい。
【００７８】
テールランプ２３０１は、本実施例の発光装置であってもよい。テールランプは、発光装置を保護する保護部材を有してよい。保護部材はある程度高い強度を有し、透明であれば材料は問わないが、ポリカーボネート等で構成されることが好ましい。ポリカーボネートにフランジカルボン酸誘導体、アクリロニトリル誘導体等を混ぜてよい。
【００７９】
自動車２３００は、車体２３０３、それに取り付けられている窓２３０２を有してよい。窓は、自動車の前後を確認するための窓でなければ、透明なディスプレイであってもよい。当該透明なディスプレイとして、本実施例の発光装置を適用してもよい。この場合、発光素子が有する電極等の構成材料は透明な部材で構成される。また、自動車２３００の内部には、自動車２３００の状態や自動車２３００の周囲の状況を示す表示部が設けられていてもよい。表示部には、本実施例の発光装置が適用可能である。
【００８０】
上述の実施例において、発光装置は、単結晶シリコンウエハを用いたトランジスタの場合について説明を行ったが、それには限定されず、基板の絶縁性表面上に活性層を有する薄膜トランジスタでもよい。半導体基板として、単結晶シリコン、アモルファスシリコン、微結晶シリコンなどの非単結晶シリコン、インジウム亜鉛酸化物、インジウムガリウム亜鉛酸化物等の非単結晶酸化物半導体が挙げられる。尚、トランジスタは、薄膜トランジスタであってもよく、薄膜トランジスタはＴＦＴ素子とも呼ばれる。
【００８１】
なお、上記実施例において説明した単位セルのことを副画素と称する場合もありうる。また、平面視において、発光素子が有する第１電極の外縁が示す形状と、基板に配されたトランジスタのレイアウトの外縁が示す形状が一致する場合について説明してきたが、それに限定されず、本発明は適用可能である。
【００８２】
以上のように、本発明によれば、検査の精度が向上し、より高性能な発光装置を提供することが可能となる。
【符号の説明】
【００８３】
１００  発光装置
１０１  発光画素領域
１０２  検査画素領域
１０３  ダミー画素領域
１０４  垂直駆動回路
１０５  水平駆動回路
ＰＡ  画素領域
ＤＡ  駆動回路領域
【図１】
2020086245.tif 000003
【図２】
2020086245.tif 000004
【図３】
2020086245.tif 000005
【図４】
2020086245.tif 000006
【図５】
2020086245.tif 000007
【図６】
2020086245.tif 000008
【図７】
2020086245.tif 000009
【図８】
2020086245.tif 000010
【図９】
2020086245.tif 000011
【図１０】
2020086245.tif 000012
【図１１】
2020086245.tif 000013
【図１２】
2020086245.tif 000014